(57)【要約】【課題】風力発電設備内の人員に雷雲の接近を速やかに報知する。【解決手段】風力発電設備は、少なくとも一本のブレードと、ブレードが取り付けられるハブと、ハブを回転可能に支持するナセルと、ナセル内に設けられ、一種以上の警報を発するように構成された警報器と、警報を発するように警報器に指令する警報信号を出力するためのコントローラと、を備えている。コントローラは、外部機器から発せられる雷雲位置情報に基づいて、雷雲と風力発電設備との距離が第１閾値以下になったときに警報信号を出力するように構成されている。【選択図】図２
2020067046.tif 000002
【特許請求の範囲】
【請求項１】
少なくとも一本のブレードと、
前記ブレードが取り付けられるハブと、
前記ハブを回転可能に支持するナセルと、
前記ナセル内に設けられ、一種以上の警報を発するように構成された警報器と、
前記警報を発するように前記警報器に指令する警報信号を出力するためのコントローラと、を備える風力発電設備であって、
前記コントローラは、外部機器から発せられる雷雲位置情報に基づいて、雷雲と前記風力発電設備との距離が第１閾値以下になったときに前記警報信号を出力するように構成された風力発電設備。
【請求項２】
前記ナセルを支持するタワーと、
前記タワーの周囲において前記タワー外に設置された外部警報器と、をさらに備え、
前記外部警報器は、前記コントローラが出力する前記警報信号に基づいて視覚的及び／又は聴覚的な警報を発するように構成された
請求項１に記載の風力発電設備。
【請求項３】
前記コントローラは、複数の異なる前記距離の大きさに応じて、複数種の前記警報から選択される少なくとも一の前記警報を発するよう前記警報器を制御するように構成された
請求項１又は２に記載の風力発電設備。
【請求項４】
前記コントローラは、前記雷雲位置情報を受信するように前記外部機器と通信可能に構成され、受信した前記雷雲位置情報に基づいて、前記距離が前記第１閾値以下になったか否かを判断するように構成された
請求項１〜３の何れか一項に記載の風力発電設備。
【請求項５】
前記外部機器とハードウェア回線、又は、準ずるソフトウェアプログラムを介して接続され、前記距離が前記第１閾値以下になったときにＯＮ／ＯＦＦ状態が切り替わるように構成されたリレー又はリレー信号と、
前記リレー又はリレー信号と前記コントローラとの間に設けられる中継装置又は配線と、をさらに備え、
前記コントローラは、前記中継装置又は配線を介して入力される前記リレーのＯＮ／ＯＦＦ状態を示すリレー信号に応じて、前記警報信号を出力するように構成された
請求項１〜４の何れか一項に記載の風力発電設備。
【請求項６】
前記コントローラは、前記外部機器から暴風情報を受信し、前記暴風情報に基づいて前記風力発電設備の運転を停止するように構成された
請求項１〜５の何れか一項に記載の風力発電設備。
【請求項７】
前記距離は、前記ナセルからの人員の退避に要する時間を考慮して設定されている
請求項１〜６の何れか一項に記載の風力発電設備。
【請求項８】
前記警報器は、複数種の前記警報をそれぞれ発するように構成された複数のランプ、または、複数種の前記警報をそれぞれ異なる色で表示可能に構成された少なくとも一つのランプの少なくとも一方を含む警光灯である
請求項１〜７の何れか一項に記載の風力発電設備。
【請求項９】
前記コントローラは、前記警報信号を出力後、前記雷雲位置情報に基づいて、前記距離が第２閾値より大きくなったときに前記警報器に対して前記警報を解除するための解除信号を出力するように構成された
請求項１〜８の何れか一項に記載の風力発電設備。
【請求項１０】
前記コントローラは、前記警報信号を出力後、各々の作業員が携帯するポータブル端末から入力された前記警報の前記作業員による認知を示す認知確認信号を受け取る様に構成された
請求項１〜９の何れか一項に記載の風力発電設備。
【請求項１１】
前記少なくとも一本のブレードは、３本のブレードを含み、
前記コントローラは、前記雷雲位置情報に基づいて、前記距離が第３閾値以下になったときに、前記３本のブレードのうち保護対象ブレードが鉛直方向下向きとなるように前記ハブのアジマス角を調整するように構成された
請求項１〜１０の何れか一項に記載の風力発電設備。
【請求項１２】
前記コントローラは、前記雷雲位置情報に基づいて、前記距離が第４閾値以下になったときに、前記ハブが遊転するフェザーモードに移行させるように構成された
請求項１〜１１の何れか一項に記載の風力発電設備。
【請求項１３】
少なくとも一本のブレードと、
前記ブレードが取り付けられるハブと、
前記ハブを回転可能に支持するナセルと、
前記ナセル内に設けられ、一種以上の警報を発するように構成された警報器と、
を備える風力発電設備の運用方法であって、
外部機器から発せられる雷雲位置情報に基づいて、雷雲と前記風力発電設備との距離が第１閾値以下になったときに前記警報を発する
風力発電設備の運用方法。
【請求項１４】
前記ナセル内の作業員が前記警報に基づき退避するための退避スペースを前記タワー内の上部に設置する
請求項１３に記載の風力発電設備の運用方法。
【請求項１５】
前記作業員の退避後、前記雷雲位置情報に基づいて作業再開の可否を判断する
請求項１４に記載の風力発電設備の運用方法。
【発明の詳細な説明】
【技術分野】
【０００１】
本開示は、風力発電設備及び風力発電設備の運用方法に関する。
【背景技術】
【０００２】
従来、雷発生時、或いは、雷を発生させ得る雷雲の発生又は接近時に、通常の運転モードとは異なる耐雷用の運転モードに切り替えて運転を継続するように構成された風力発電設備及びその運転方法が知られている。例えば、特許文献１には、雷雲が接近した際に、定格運転時よりもロータの回転数を低下させた種々の耐雷モードで運転を行うことが開示されている。
【先行技術文献】
【特許文献】
【０００３】
【特許文献１】特開２０１８−１２７９８６号公報
【発明の概要】
【発明が解決しようとする課題】
【０００４】
ところで、風力発電設備内には、ブレードの先端に設けられたレセプタやナセル上に配置された避雷針への落雷による雷電流を導くための電流経路が設けられ得る。特に、地上又は洋上に立設されたタワー上方の高所に主軸、増速機又は発電機等の金属機器が配置されたナセル内の空間は、上記雷電流の経路になり得るほか、ナセルの天井や壁を貫通して直接的な雷撃を受ける虞がある。このため、雷雲が接近した際には、風力発電設備内の人員は、少なくともナセル内から退避することが求められており、当該ナセルの下方に位置するタワー内の空間に退避するか、タワーを含む風力発電設備外に完全退避することが推奨されている。
【０００５】
しかし、風力発電設備内では視界や音が壁に遮られており、該設備内の人員は外部の状況を認識し難い。このため、当該風力発電設備の近くで雷雲が発生した際、或いは、当該風力発電設備に雷雲が接近している状況にあっても、風力発電設備内の人員が自ら稲妻や雷鳴等の視覚的又は聴覚的な情報を頼りに雷雲の発生又は接近に気付くことが困難な場合があり、風力発電設備外への退避に遅れが生じる虞がある。
この点、上記特許文献１にも、風力発電設備内の人員に雷雲の接近を報知して該風力発電設備からの退避を促すことについては何ら詳述されていない。
【０００６】
上述した問題に鑑み、本開示の少なくとも一実施形態は、風力発電設備内の人員に雷雲の接近を速やかに報知することを目的とする。
【課題を解決するための手段】
【０００７】
（１）本開示の少なくとも一実施形態に係る風力発電設備は、
少なくとも一本のブレードと、
前記ブレードが取り付けられるハブと、
前記ハブを回転可能に支持するナセルと、
前記ナセル内に設けられ、一種以上の警報を発するように構成された警報器と、
前記警報を発するように前記警報器に指令する警報信号を出力するためのコントローラと、を備える風力発電設備であって、
前記コントローラは、外部機器から発せられる雷雲位置情報に基づいて、雷雲と前記風力発電設備との距離が第１閾値以下になったときに前記警報信号を出力するように構成されている。
【０００８】
上記（１）の構成によれば、外部機器から発せられる雷雲位置情報に基づき、雷雲と風力発電設備との距離が第１閾値以下になったことをトリガとして、コントローラから警報信号が自動的に出力される。そして、警報信号を受信した警報器から、少なくともナセル内に一種以上の警報が発せられる。よって、少なくともナセル内やその近傍の風力発電設備内にいて外部の視覚的又は聴覚的な情報を直接的に把握し難い人員に対して、該風力発電設備から第１閾値以下の距離に雷雲が接近している旨を速やかに報知することができる。これにより、風力発電設備内の人員に対して、ナセル外又は風力発電設備外への迅速な退避を促すことができる。
【０００９】
（２）幾つかの実施形態では、上記（１）に記載の構成において、
前記風力発電設備は、
前記ナセルを支持するタワーと、
前記タワーの周囲において前記タワー外に設置された外部警報器と、をさらに備え、
前記外部警報器は、前記コントローラが出力する前記警報信号に基づいて視覚的及び／又は聴覚的な警報を発するように構成されていてもよい。
【００１０】
上記（２）の構成によれば、外部機器から発せられる雷雲位置情報に基づき、雷雲と風力発電設備との距離が第１閾値以下になったときにコントローラから発せられる警報信号に基づき、ナセル内に配置された警報器に加えてタワー外に設置された外部警報器からも警報が発せられる。つまり、風力発電設備から第１閾値以下の距離に雷雲が接近している旨を風力発電設備内外の人員に速やかに報知することができる。これにより、風力発電設備内外の人員に対して、ナセル外又は風力発電設備外への迅速な退避を促すことができる。
【００１１】
（３）幾つかの実施形態では、上記（１）又は（２）に記載の構成において、
前記コントローラは、複数の異なる前記距離の大きさに応じて、複数種の前記警報から選択される少なくとも一の前記警報を発するよう前記警報器を制御するように構成されていてもよい。
【００１２】
上記（３）の構成によれば、雷雲と風力発電設備との距離の大きさに応じて、複数種の警報から選択される少なくとも一の警報が警報器から発せられる。これにより、例えば、雷雲と風力発電設備との距離に応じた警報の種類を予め設定すれば、風力発電設備内の人員は、警報器から発せられる警報の種類に基づいて雷雲と該風力発電設備との距離を認識することができる。よって、風力発電設備内の人員に対して、雷雲の接近距離に応じた落雷の可能性の切迫具合に応じた迅速な退避行動を促すことができる。
【００１３】
（４）幾つかの実施形態では、上記（１）〜（３）の何れか一つに記載の構成において、
前記コントローラは、前記雷雲位置情報を受信するように前記外部機器と通信可能に構成され、受信した前記雷雲位置情報に基づいて、前記距離が前記第１閾値以下になったか否かを判断するように構成されていてもよい。
【００１４】
上記（４）の構成によれば、外部機器と通信可能に構成されたコントローラが、外部機器から受信した雷雲位置情報に基づいて、雷雲と風力発電設備との距離が第１閾値以下になったか否かを判断する。よって、外部機器から発せられる雷雲位置情報が更新される度に最新の雷雲位置情報に基づいてコントローラから警報器に警報信号を出力することができるから、少なくともナセル内の人員に対し、タイムリーに雷雲の接近を報知してナセルからの退避を促すことができる。
【００１５】
（５）幾つかの実施形態では、上記（１）〜（４）の何れか一つに記載の構成において、
前記風力発電設備は、
前記外部機器とハードウェア回線、又は、準ずるソフトウェアプログラムを介して接続され、前記距離が前記第１閾値以下になったときにＯＮ／ＯＦＦ状態が切り替わるように構成されたリレー又はリレー信号と、
前記リレー又はリレー信号と前記コントローラとの間に設けられる中継装置又は配線と、をさらに備え、
前記コントローラは、前記中継装置又は配線を介して入力される前記リレーのＯＮ／ＯＦＦ状態を示すリレー信号に応じて、前記警報信号を出力するように構成されていてもよい。
【００１６】
上記（５）の構成によれば、ハードウェア回線を介して外部機器と接続されたリレーのＯＮ／ＯＦＦ状態が、雷雲と風力発電設備との距離が第１閾値以下になったときに切り替わり、該ＯＮ／ＯＦＦ状態を示すリレー信号が中継装置を介してコントローラに入力される。そして、入力されたリレー信号に応じて、コントローラから警報器に警報信号が出力される。つまり、上記（５）のような簡易な構成により、上記（１）〜（４）の何れか一つで述べた効果を享受することができる。
【００１７】
（６）幾つかの実施形態では、上記（１）〜（５）の何れか一つに記載の構成において、
前記コントローラは、前記外部機器から暴風情報を受信し、前記暴風情報に基づいて前記風力発電設備の運転を停止するように構成されていてもよい。
【００１８】
風力発電設備の運転においては、雷雲の位置情報に応じて該風力発電設備及び人員を保護することが重要であるほか、風向きや風速を含む暴風情報に応じて風力発電設備を運転又は停止することが必要な場合がある。雷発生の際には暴風が伴うこともあるが、必ずしも両者が同時に発生するとはいえず、雷雲位置情報と暴風情報とは別々に発せられる。
この点、上記（６）の構成によれば、コントローラにより、外部機器から受信した暴風情報に基づいて風力発電設備の運転を停止することができる。つまり、上記雷雲位置情報とは別に外部機器から受信する暴風情報に基づいて、風力発電設備の運転継続と停止とをコントローラが切り替えることができる。よって、雷雲の接近情報に応じて少なくともナセル内の人員に警報を発することができることに加えて、暴風情報に応じた風力発電設備の運転制御を行うことができる。
【００１９】
（７）幾つかの実施形態では、上記（１）〜（６）の何れか一つに記載の構成において、
前記距離は、前記ナセルからの人員の退避に要する時間を考慮して設定されていてもよい。
【００２０】
上記（７）の構成によれば、警報器から警報を発する際の雷雲と当該風力発電設備との距離に関する第１閾値を、当該風力発電設備のナセルからの人員の退避に要する時間を考慮して設定することができる。これにより、ナセル内に設置した警報器からは、人員が退避するための十分な時間が確保されたタイミングで警報を発することができる。よって、警報を認識した人員は、当該風力発電設備のナセルから避難場所へ安全に退避することができる。なお、ナセルからの人員の退避に要する時間は、例えば、発電出力の規模に応じたナセル乃至タワーの地上高さ、風力発電設備の立地、或いは、ナセルから避難場所までの避難経路の道のり等を考慮して決定してもよい。
【００２１】
（８）幾つかの実施形態では、上記（１）〜（７）の何れか一つに記載の構成において、
前記警報器は、複数種の前記警報をそれぞれ発するように構成された複数のランプ、または、複数種の前記警報をそれぞれ異なる色で表示可能に構成された少なくとも一つのランプを含む警光灯であってもよい。
【００２２】
上記（８）の構成によれば、コントローラから出力された警報信号に応じて、警報器としての警光灯が点灯する。よって、少なくともナセル内の人員に対して、当該風力発電設備から第１閾値以下の距離に雷雲が接近していることを、警光灯により視認可能な態様で警報を発することができる。さらに、複数のランプ又は異なる色によって複数種の警報を表示することにより、少なくともナセル内の人員は、警光灯を視認することで複数種の警報のうち何れの警報が発せられているかを、ナセル内にいながら、且つ、外部と連絡することなく容易に把握することができる。よって、風力発電設備内の人員に対して、ナセル外又は風力発電設備外への迅速な退避を促すことができる。
【００２３】
（９）幾つかの実施形態では、上記（１）〜（８）の何れか一つに記載の構成において、
前記コントローラは、前記警報信号を出力後、前記雷雲位置情報に基づいて、前記距離が第２閾値より大きくなったときに前記警報器に対して前記警報を解除するための解除信号を出力するように構成されていてもよい。
【００２４】
上記（９）の構成によれば、警報信号が出力された後、外部機器からの雷雲位置情報に基づき、該風力発電設備と雷雲との距離が第２閾値を超えたことをトリガとしてコントローラから警報器に自動的に解除信号が出力される。よって、警報器から警報が発せられている状態で風力発電設備と雷雲との距離が第２閾値を超えたときは、作動中の警報器による警報を自動的に解除することができる。
【００２５】
（１０）幾つかの実施形態では、上記（１）〜（９）の何れか一つに記載の構成において、
前記コントローラは、前記警報信号を出力後、各々の作業員が携帯するポータブル端末から入力された前記警報の前記作業員による認知を示す認知確認信号を受け取る様に構成されていてもよい。
【００２６】
上記（１０）の構成によれば、各々の作業員が携帯するポータブル端末からの認知確認信号がコントローラに入力される。よって、例えば、複数の作業員で作業を行う場合、各作業員が雷雲の接近を認識したか、或いは、全作業員が雷雲の接近を認識したか否かの確認情報をコントローラに集約することができる。よって、このコントローラに集約された認知確認信号を確認することにより、当該風力発電設備における安全管理の迅速化、効率化又は質の向上を図ることができる。
【００２７】
（１１）幾つかの実施形態では、上記（１）〜（１０）の何れか一つに記載の構成において、
前記少なくとも一本のブレードは、３本のブレードを含み、
前記コントローラは、前記雷雲位置情報に基づいて、前記距離が第３閾値以下になったときに、前記３本のブレードのうち保護対象ブレードが鉛直方向下向きとなるように前記ハブのアジマス角を調整するように構成されていてもよい。
【００２８】
風力発電設備のブレードへの落雷については、ブレードが鉛直上向きに配置されるなど、比較的高い位置に配置された状態において雷撃の可能性が高くなる傾向がある。
この点、上記（１１）の構成によれば、外部機器から発せられる雷雲位置情報に基づき、風力発電設備と雷雲との距離が第３閾値以下になったとき、コントローラにより、３本のブレードのうち保護対象ブレードを鉛直方向下向きとなるようにハブのアジマス角を調整する制御が行われる。これにより、保護対象ブレードを比較的低い位置に配置することができるから、保護対象ブレードへの雷撃の可能性を低減して保護対象ブレードを保護することができる。なお、保護対象ブレードは、例えば、既に雷撃その他の原因により損傷を受けているブレードでもよいし、比較的新しいブレードであってもよく、運転状況に応じて任意に設定し得る。
【００２９】
（１２）幾つかの実施形態では、上記（１）〜（１１）の何れか一つに記載の構成において、
前記コントローラは、前記雷雲位置情報に基づいて、前記距離が第４閾値以下になったときに、前記ハブが遊転するフェザーモードに移行させるように構成されていてもよい。
【００３０】
上記（１２）の構成によれば、外部機器から受信する雷雲位置情報に基づき、風力発電設備と雷雲との距離が第４閾値以下になったとき、コントローラにより、ハブが遊転するフェザーモードに移行する制御が行われる。よって、例えば、雷雲に強風乃至暴風が伴う場合は、雷雲位置情報に基づいて雷雲と風力発電設備との距離が第４閾値以下になったことをトリガとして自動的にフェザーモードに移行することにより、風圧による影響を低減して強風乃至暴風から風力発電設備を保護することができる。
【００３１】
（１３）本開示の少なくとも一実施形態に係る風力発電設備の運用方法は、
少なくとも一本のブレードと、
前記ブレードが取り付けられるハブと、
前記ハブを回転可能に支持するナセルと、
前記ナセル内に設けられ、一種以上の警報を発するように構成された警報器と、
を備える風力発電設備の運用方法であって、
外部機器から発せられる雷雲位置情報に基づいて、雷雲と前記風力発電設備との距離が第１閾値以下になったときに前記警報を発する。
【００３２】
上記（１３）の方法によれば、外部機器から発せられる雷雲位置情報に基づいて、雷雲と風力発電設備との距離が第１閾値以下になったときに、ナセル内に設けられた警報器から一種以上の警報が発せられる。よって、少なくともナセル内やその近傍の風力発電設備内にいて外部の視覚的又は聴覚的な情報を直接的に把握し難い人員に対して、該風力発電設備から第１閾値以下の距離に雷雲が接近している旨を速やかに報知することができる。これにより、風力発電設備内の人員に対して、ナセル外又は風力発電設備外への迅速な退避を促すことができる。
【００３３】
（１４）幾つかの実施形態では、上記（１３）に記載の方法において、
前記ナセル内の作業員が前記警報に基づき退避するための退避スペースを前記タワー内の上部に設置してもよい。
【００３４】
上記（１４）の方法によれば、タワー内の上部に作業員が退避するための退避スペースが設置される。よって、外部機器から発せられる雷雲位置情報に基づいて、雷雲と風力発電設備との距離が第１閾値以下になったことをトリガとして警報器から警報が発せられたとき、該警報を認識したナセル内の作業員は、ナセルからタワー内に移動することで退避スペースに退避することができる。例えば、ナセル内の作業員が、予め設定された風力発電設備外の避難場所まで安全に移動する猶予がないなどの非常の際には、落雷の可能性が比較的高いとされるナセル内から、該ナセルの直下に設けられたタワー内の上部の退避スペースに移動するだけで、作業員に対する落雷の直撃の可能性を大幅に低下させることができる。
【００３５】
（１５）幾つかの実施形態では、上記（１４）に記載の方法において、
前記作業員の退避後、前記雷雲位置情報に基づいて作業再開の可否を判断してもよい。
【００３６】
上記（１５）の方法によれば、警報器から発せられた警報に応じて作業員がナセルから退避した後、雷雲位置情報に基づき作業再開の可否が判断される。例えば、雷雲位置情報に基づいて、雷雲と風力発電設備との距離が上記第１閾値以上、又は、安全と判断し得るその他の所定距離以上に離れた場合に、作業再開可能と判断してもよい。
【発明の効果】
【００３７】
本開示の少なくとも一実施形態によれば、風力発電設備内の人員に雷雲の接近を速やかに報知することができる。
【図面の簡単な説明】
【００３８】
【図１】本開示の少なくとも一実施形態に係る風力発電設備の構成例を示す概略図である。
【図２】一実施形態に係る風力発電設備のシステム構成例を示す概略図である。
【図３】一実施形態に係る風力発電設備の制御系の構成例を示すブロック図である。
【図４】幾つかの実施形態における雷雲と風力発電設備との距離を示す概略図である。
【図５】一実施形態に係る風力発電設備の運転方法を示すフローチャートである。
【図６】一実施形態に係る風力発電設備における退避スペースを示す概略図である。
【図７】一実施形態に係る風力発電設備の運転方法を示すフローチャートである。
【図８】一実施形態に係る風力発電設備の運転方法を示すフローチャートである。
【図９】一実施形態に係る風力発電設備の運転方法を示す概略図である。
【図１０】一実施形態に係る風力発電設備の運転方法を示すフローチャートである。
【図１１】一実施形態に係る風力発電設備の運転方法を示すフローチャートである。
【図１２】一実施形態に係る風力発電設備の運転方法を示すフローチャートである。
【発明を実施するための形態】
【００３９】
以下、添付図面に従って本発明の例示的な実施形態について説明する。ただし、以下に示す幾つかの実施形態に記載された構成部品の寸法、材質、形状、その相対的配置等は、特定的な記載がない限り本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４０】
先ず、本開示の少なくとも一実施形態に係る風力発電設備について説明する。
図１は本開示の少なくとも一実施形態における風力発電設備の構成例を示す概略図である。図２は一実施形態に係る風力発電設備のシステム構成例を示す概略図である。図３は一実施形態に係る風力発電設備の制御系の構成例を示すブロック図である。
図１〜図３に非限定的に例示するように、本開示の少なくとも一実施形態に係る風力発電設備（以下、風車１とする）は、少なくとも一のブレード２及び該ブレード２が取り付けられるハブ３を含む風車ロータ４と、風車ロータ４のハブ３を回転可能に支持するナセル７と、該ナセル７を旋回可能に支持するタワー８と、タワー８を支持するベース９と、ナセル７内に設けられ、一種以上の警報を発するように構成された警報器１０と、警報を発するように警報器１０に指令する警報信号６３を出力するためのコントローラ２０と、を備えている。
なお、風車１は、風車ロータ４と一体回転可能に連結された主軸５Ａ及び増速機５Ｂを含むドライブトレイン５と、ドライブトレイン５の回転エネルギーを電気エネルギーに変換して電力を生成する発電機６と、を備えている。
警報機１０は、例えば、光、音、動作又はこれらの組み合わせにより、視覚的、聴覚的又は感覚的に注意を喚起し得る態様で警報を発するように構成される。
【００４１】
図３に非限定的に例示するように、コントローラ２０は、例えば、コンピュータであり、ＣＰＵ２１、該ＣＰＵ２１が実行する各種プログラムやテーブル等のデータを記憶するための記憶部としてのＲＯＭ（Ｒｅａｄ  Ｏｎｌｙ  Ｍｅｍｏｒｙ）２３、各プログラムを実行する際の展開領域や演算領域としてのワーク領域として機能するＲＡＭ（Ｒａｎｄｏｍ  Ａｃｃｅｓｓ  Ｍｅｍｏｒｙ）２２の他、図示しない大容量記憶装置としてのハードディスクドライブ（ＨＤＤ）、通信ネットワークに接続するための通信インターフェース、及び外部記憶装置が装着されるアクセス部などを備えていてもよい。幾つかの実施形態において、コントローラ２０は、風車運転に関する各種パラメータを保存するデータベース２７を含んでもよい。これらは全て、バス２４を介して接続されている。更に、コントローラ２０は、例えば、キーボードやマウス等からなる入力部（図示省略）及びデータを表示する液晶表示装置等からなる表示部等と接続されていてもよい。
【００４２】
コントローラ２０には、各風車１に設けられた風向センサ３２、風速センサ３３及びピッチ角センサ２５の各々から、それぞれ風向、風速及びピッチ角に関する検知信号が送信されてもよい。また、コントローラ２０は、バス２４を介してヨーモータ３４、ヨーブレーキ駆動アクチュエータ３５、ピッチアクチュエータ３６及びピッチブレーキ駆動アクチュエータ３７と電気的又は電子的に接続されていてもよい。
なお、一実施形態において、上記のコントローラ２０は、例えばナセル５内に配置されたナセル制御装置（図示省略）であってもよい。ただし、他の実施形態として、コントローラ２０は、例えばハブ３内に配置されたピッチ制御装置、タワー８内に配置された操作端末又は風車１から離れて配置された管理センター内に設置された制御システム、或いは、ウィンドファームコントローラ２０Ａであってもよい。
【００４３】
図４は幾つかの実施形態における雷雲と風力発電設備との距離を示す概略図である。
本開示の少なくとも一実施形態におけるコントローラ２０は、例えば図２に非限定的に例示する外部機器４０から発せられる雷雲位置情報４１に基づいて、雷雲Ｔｃと風車１との距離が第１閾値Ｔｈ１以下になったときに警報信号６３を出力するように構成され得る（図５、ステップＳ１０〜Ｓ１１参照）。
ＲＯＭ２３には、外部機器４０から発せられる雷雲位置情報４１に基づいて、雷雲Ｔｃと風車１との距離が第１閾値Ｔｈ１以下になったときに警報信号６３を出力する雷雲接近時運転プログラム２８が格納されていてもよい。
この雷雲接近時運転プログラム２８をＣＰＵ２１がＲＯＭ２３から読み出し、ＲＡＭ４４に展開して実行することにより、コントローラ２０は、雷雲位置情報４１に基づいて警報信号６３を出力するように構成され得る。
外部機器４０は、例えば雷雲の接近や暴風などを含む気象に関する情報を発信する機関又は会社等の施設内に設置され得る。このような外部機器４０から発信された情報（例えば、雷雲位置情報４１及び後述する暴風情報４２を含む）は、有線又は無線のネットワークを通じて関係部門に提供される。
第１閾値Ｔｈ１として設定される距離は、例えば、５ｋｍ、１０ｋｍ、１５ｋｍ、２０ｋｍ等、任意の値に設定し得る。
【００４４】
上記構成によれば、外部機器４０から発せられる雷雲位置情報４１に基づき、雷雲Ｔｃと風車１との距離が第１閾値Ｔｈ１以下になったことをトリガとして、コントローラ２０から警報信号６３が自動的に出力される。そして、警報信号６３を受信した警報器１０から、少なくともナセル７内に一種以上の警報が発せられる。よって、少なくともナセル７内やその近傍の風車１内にいて外部の視覚的又は聴覚的な情報を直接的に把握し難い人員Ｐに対して、該風車１から第１閾値Ｔｈ１以下の距離に雷雲Ｔｃが接近している旨を速やかに報知することができる。これにより、風車１内の人員Ｐに対して、ナセル７外、風車１外又は近隣の安全な避難場所への迅速な退避を促すことができる。
【００４５】
幾つかの実施形態において、風車１は、ナセル７を支持するタワー８の周囲においてタワー８外に設置された外部警報器１６をさらに備えていてもよい（例えば図６参照）。
外部警報器１６は、例えば、風車１のタワー８の外周やナセル７の周囲、或いは、風車１が設置された公園等の施設内など、風車１の近傍に配置され得る。
そして、外部警報器１６は、コントローラ２０が出力する警報信号６３に基づいて視覚的及び／又は聴覚的な警報を発するように構成されていてもよい。
【００４６】
このように外部警報器１６を備えた構成によれば、外部機器４０から発せられる雷雲位置情報４１に基づき、雷雲Ｔｃと風車１との距離が第１閾値Ｔｈ１以下になったときにコントローラ２０から発せられる警報信号６３に基づき、ナセル７内に配置された警報器１０に加えてタワー８外に設置された外部警報器１６からも警報が発せられる。つまり、風車１から第１閾値Ｔｈ１以下の距離に雷雲Ｔｃが接近している旨を風車１内外の人員Ｐに速やかに報知することができる。これにより、風車１内外の人員Ｐに対して、ナセル７外又は風車１外への迅速な退避を促すことができる。
【００４７】
幾つかの実施形態において、コントローラ２０は、風車１と雷雲Ｔｃとの複数の異なる距離の大きさに応じて、複数種の警報から選択される少なくとも一の警報を発するように警報器１０を制御するように構成されていてもよい。
警報の種類としては、例えば、上述したように、光、音、動作又はこれらの組み合わせにより、視覚的、聴覚的又は感覚的に注意を喚起し得る態様の警報を含み得る。また、上記複数の異なる距離の大きさに応じて、複数の光源、音源等を用いる態様であってもよい。
【００４８】
このように、雷雲Ｔｃと風車１との距離の大きさに応じて、複数種の警報から選択される少なくとも一の警報が警報器１０から発する構成によれば、例えば、雷雲Ｔｃと風車１との距離に応じた警報の種類を予め設定すれば、風車１内の人員Ｐは、警報器１０から発せられる警報の種類に基づいて雷雲Ｔｃと該風車１との距離を認識することができる。よって、風車１内の人員Ｐに対して、雷雲Ｔｃの接近距離に応じた落雷の可能性の切迫具合に応じた迅速な退避行動を促すことができる。
【００４９】
幾つかの実施形態では、上記何れかに記載の構成において、コントローラ２０は、雷雲位置情報４１を受信するように外部機器４０と通信可能に構成され、受信した雷雲位置情報４１に基づいて、雷雲Ｔｃと風車１との距離が第１閾値Ｔｈ１以下になったか否かを判断するように構成されていてもよい。
【００５０】
このように外部機器４０から受信した雷雲位置情報４１に基づいて雷雲Ｔｃと風車１との距離が第１閾値Ｔｈ１以下になったか否かを判断する構成によれば、外部機器４０と通信可能に構成されたコントローラ２０が、外部機器４０から受信した雷雲位置情報４１に基づいて、雷雲Ｔｃと風車１との距離が第１閾値Ｔｈ１以下になったか否かを判断する。よって、外部機器４０から発せられる雷雲位置情報４１が更新される度に最新の雷雲位置情報４１に基づいてコントローラ２０から警報器１０に警報信号６３を出力することができるから、少なくともナセル７内の人員Ｐに対し、タイムリーに雷雲Ｔｃの接近を報知してナセル７からの退避を促すことができる。
【００５１】
幾つかの実施形態では、上記何れかに記載の構成において、風車１は、外部機器４０とハードウェア回線５０を介して接続されるとともに、風車１と雷雲Ｔｃとの距離が第１閾値Ｔｈ１以下になったときにＯＮ／ＯＦＦ状態が切り替わるように構成されたリレー５２と、該リレー５２とコントローラ２０との間に設けられる中継装置６２と、をさらに備えていてもよい（例えば図２参照）。
そして、コントローラ２０は、中継装置６２を介して入力されるリレー５２のＯＮ／ＯＦＦ状態を示すリレー信号６１に応じて、警報信号６３を出力するように構成されていてもよい。なお、こうしたリレー５２、中継装置６２は、例えば、プログラマブルロジックコントローラの様な機器によるソフトウェアで置き換えることもできる。
【００５２】
このように風車１が外部機器４０とハードウェア回線５０を介して接続された構成によれば、ハードウェア回線５０を介して外部機器４０と接続されたリレー５２のＯＮ／ＯＦＦ状態が、雷雲Ｔｃと風車１との距離が第１閾値Ｔｈ１以下になったときに切り替わり、該ＯＮ／ＯＦＦ状態を示すリレー信号６１が中継装置６２を介してコントローラ２０に入力される。そして、入力されたリレー信号６１に応じて、コントローラ２０から警報器１０に警報信号６３が出力される。つまり、このような簡易な構成により、本開示の何れかの実施形態で述べた効果を享受することができる。
【００５３】
幾つかの実施形態では、上記何れかに記載の構成において、コントローラ２０は、警報信号６３を出力後、雷雲位置情報４１に基づいて、風車１と雷雲Ｔｃとの距離が第２閾値Ｔｈ２より大きくなったときに、警報器１０に対して警報を解除するための解除信号６５を出力するように構成されていてもよい（図７、ステップＳ２０〜Ｓ２１参照）。
【００５４】
このように外部機器４０から受信した雷雲位置情報４１に基づいて、風車１と雷雲Ｔｃとの距離が第２閾値Ｔｈ２より大きくなったときに、警報器１０に対して警報を解除するための解除信号６５を出力する構成によれば、警報信号６３が出力された後、外部機器４０からの雷雲位置情報４１に基づき、該風車１と雷雲Ｔｃとの距離が第２閾値Ｔｈ２を超えたことをトリガとしてコントローラ２０から警報器１０に自動的に解除信号６５が出力される。よって、警報器１０から警報が発せられている状態で風車１と雷雲Ｔｃとの距離が第２閾値Ｔｈ２を超えたときは、作動中の警報器１０による警報を自動的に解除することができる。また、仮に警報が解除されるときにナセル７内又はその周辺に人員Ｐがいる場合、その人員Ｐは、雷雲Ｔｃが風車１から第２閾値Ｔｈ２以上の距離に離れたこと、及び、それによってナセル７から退避する必要がなくなったことをナセル７内にいながら認識することができる。
【００５５】
幾つかの実施形態では、上記何れかに記載の構成において、コントローラ２０は、外部機器４０から暴風情報４２を受信し、受信した暴風情報４２に基づいて風車１の運転を停止するように構成されていてもよい（図８、ステップＳ３０〜Ｓ３１参照）。
【００５６】
風車１の運転においては、雷雲Ｔｃの位置情報（雷雲位置情報４１）に応じて該風車１及び人員Ｐを保護することが重要であるほか、風向きや風速を含む暴風情報４２に応じて風車１を運転又は停止することが必要な場合がある。雷発生の際には暴風が伴うこともあるが、必ずしも両者が同時に発生するとはいえず、雷雲位置情報４１と暴風情報４２とは別々に発せられる。
この点、上記のように外部機器４０から受信した暴風情報４２に基づいて風車１の運転を停止する構成によれば、コントローラ２０により、外部機器４０から受信した暴風情報４２に基づいて風車１の運転を停止することができる。つまり、上記雷雲位置情報４１とは別に外部機器４０から受信する暴風情報４２に基づいて、風車１の運転継続と停止とをコントローラ２０が切り替えることができる。よって、雷雲Ｔｃの接近情報に応じて少なくともナセル７内の人員Ｐに警報を発することができることに加えて、暴風情報４２に応じた風車１の運転制御を行うことができる。
【００５７】
幾つかの実施形態では、上記何れかに記載の構成において、雷雲Ｔｃと風車１との距離の閾値は、ナセル７からの人員Ｐの退避に要する時間を考慮して設定されていてもよい。
【００５８】
このように雷雲Ｔｃと風車１との距離の閾値をナセル７からの人員Ｐの退避に要する時間を考慮して設定構成によれば、警報器１０から警報を発する際の雷雲Ｔｃと当該風車１との距離に関する第１閾値Ｔｈ１を、当該風車１のナセル７からの人員Ｐの退避に要する時間を考慮して設定することができる。これにより、ナセル７内に設置した警報器１０からは、人員Ｐが退避するための十分な時間が確保されたタイミングで警報を発することができる。よって、警報を認識した人員Ｐは、当該風車１のナセル７から避難場所へ安全に退避することができる。なお、ナセル７からの人員Ｐの退避に要する時間は、例えば、発電出力の規模に応じたナセル７乃至タワー８の地上高さ、風車１の立地、或いは、ナセルから避難場所までの避難経路の道のり等を考慮して決定してもよい。
【００５９】
幾つかの実施形態では、上記何れかに記載の構成において、警報器１０は、複数種の警報をそれぞれ発するように構成された複数のランプ１２、または、複数種の警報をそれぞれ異なる色で表示可能に構成された少なくとも一つのランプ１２を含む警光灯１４であってもよい。
警光灯１４は、例えばパトランプ（又はパトライト（登録商標））等の回転灯（或いは回転警告灯）であってもよい。
【００６０】
このように警光灯１４を警報器１０として適用した構成によれば、コントローラ２０から出力された警報信号６３に応じて、警報器１０としての警光灯１４が点灯する。よって、少なくともナセル７内の人員Ｐに対して、当該風車１から第１閾値Ｔｈ１以下の距離に雷雲Ｔｃが接近していることを、警光灯１４により視認可能な態様で警報を発することができる。さらに、複数のランプ１２又は異なる色によって複数種の警報を表示することにより、少なくともナセル７内の人員Ｐは、警光灯１４を視認することで複数種の警報のうち何れの警報が発せられているかを、ナセル７内にいながら、且つ、外部と連絡することなく容易に把握することができる。よって、風車１内の人員Ｐに対して、ナセル７外又は風力発電設備外への迅速な退避を促すことができる。
【００６１】
幾つかの実施形態では、上記何れかに記載の構成において、コントローラ２０は、警報信号６３を出力後、各々の作業員Ｐが携帯するポータブル端末７０から入力された警報の作業員による認知を示す認知確認信号６４を受け取る様に構成されていてもよい。
【００６２】
このように、各々の作業員Ｐが携帯するポータブル端末７０からの認知確認信号６４がコントローラ２０に入力される構成によれば、例えば、複数の作業員Ｐで作業を行う場合、各作業員Ｐが雷雲Ｔｃの接近を認識したか、或いは、全作業員Ｐが雷雲Ｔｃの接近を認識したか否かの確認情報をコントローラ２０に集約することができる。よって、このコントローラ２０に集約された認知確認信号を確認することにより、当該風車１における安全管理の迅速化、効率化又は質の向上を図ることができる。
【００６３】
幾つかの実施形態では、上記何れかに記載の構成において、少なくとも一本のブレード２は、３本のブレード２を含み、コントローラ２０は、雷雲位置情報４１に基づいて、雷雲Ｔｃと風車１との距離が第３閾値Ｔｈ３以下になったときに、３本のブレード２のうち保護対象ブレード２が鉛直方向下向き（図９参照）となるようにハブ３のアジマス角を調整するように構成されていてもよい（図１０、ステップＳ４０〜Ｓ４１参照）。
【００６４】
風車１のブレード２への落雷については、ブレード２が鉛直上向きに配置されるなど、比較的高い位置に配置された状態において雷撃の可能性が高くなる傾向がある。
この点、上記のように、外部機器４０から発せられる雷雲位置情報４１に基づき、風車１と雷雲Ｔｃとの距離が第３閾値Ｔｈ３以下になったとき、コントローラ２０により、３本のブレード２のうち保護対象ブレード２を鉛直方向下向きとなるようにハブ３のアジマス角を調整する構成によれば、保護対象ブレード２を比較的低い位置（乃至は構成上配置し得る最も低い位置）に配置することができるから、保護対象ブレード２への雷撃の可能性を低減して保護対象ブレード２を保護することができる。なお、保護対象ブレード２は、例えば、既に雷撃その他の原因により損傷を受けているブレード２でもよいし、比較的新しいブレード２であってもよく、運転状況に応じて任意に設定し得る。
【００６５】
幾つかの実施形態では、上記何れかに記載の構成において、コントローラ２０は、雷雲位置情報４１に基づいて、雷雲Ｔｃと風車１との距離が第４閾値Ｔｈ４以下になったときに、ハブ３が遊転するフェザーモードに移行させるように構成されていてもよい（図１１、ステップＳ５０〜Ｓ５１参照）。
例えば、コントローラ２０は、雷雲位置情報４１に基づいて、雷雲Ｔｃと風車１との距離が第４閾値Ｔｈ４以下になったとき、図示しないロータブレーキを解除するとともに、ピッチ角センサ２５の検出信号を参照してブレード２のピッチ角がフェザー状態となるようにピッチ駆動アクチュエータ３６を駆動した後、ピッチブレーキ駆動アクチュエータを作動させてピッチ角を固定する。
【００６６】
このように、外部機器４０から受信する雷雲位置情報４１に基づき、風車１と雷雲Ｔｃとの距離が第４閾値Ｔｈ４以下になったとき、コントローラ２０により、ハブ３が遊転するフェザーモードに移行する制御が行われる構成によれば、例えば、雷雲Ｔｃに強風乃至暴風が伴う場合は、雷雲位置情報４１に基づいて雷雲Ｔｃと風車１との距離が第４閾値Ｔｈ４以下になったことをトリガとして自動的にフェザーモードに移行することにより、風圧による影響を低減して強風乃至暴風から風車１を保護することができる。
【００６７】
本開示の少なくとも一実施形態に係る風力発電設備の運用方法は、少なくとも一本のブレード２と、該ブレード２が取り付けられるハブ３と、ハブ３を回転可能に支持するナセル７と、ナセル７内に設けられ、一種以上の警報を発するように構成された警報器１０と、を備える風車１の運用方法であって、外部機器４０から発せられる雷雲位置情報４１に基づいて、雷雲Ｔｃと風車１との距離が第１閾値Ｔｈ１以下になったときに警報を発する。
【００６８】
このように、外部機器４０から発せられる雷雲位置情報４１に基づいて、雷雲Ｔｃと風車１との距離が第１閾値Ｔｈ１以下になったときに、ナセル７内に設けられた警報器１０から一種以上の警報を発する構成によれば、少なくともナセル７内やその近傍の風車１内にいて外部の視覚的又は聴覚的な情報を直接的に把握し難い人員Ｐに対して、該風車１から第１閾値Ｔｈ１以下の距離に雷雲が接近している旨を速やかに報知することができる。これにより、風車１内の人員Ｐに対して、ナセル７外又は風車１外への迅速な退避を促すことができる。
【００６９】
幾つかの実施形態では、上記方法において、ナセル７内の作業員Ｐが警報に基づき退避するための退避スペース８Ａをタワー８内の上部に設置してもよい（例えば図６参照）。
【００７０】
このように、タワー８内の上部に作業員Ｐが退避するための退避スペースを設置する方法によれば、外部機器４０から発せられる雷雲位置情報４１に基づいて、雷雲Ｔｃと風車１との距離が第１閾値Ｔｈ１以下になったことをトリガとして警報器１０から警報が発せられたとき、該警報を認識したナセル７内の作業員Ｐは、ナセル７からタワー８内に移動することで退避スペース８Ａに退避することができる。例えば、ナセル７内の作業員Ｐが、予め設定された風車１外の避難場所（図示省略）まで安全に移動する猶予がないなどの非常の際には、落雷の可能性が比較的高いとされるナセル７内から、該ナセル７の直下に設けられたタワー８内の上部の退避スペース８Ａに移動するだけで、作業員Ｐに対する落雷の直撃の可能性を大幅に低下させることができる。
【００７１】
幾つかの実施形態では、上記の方法において、作業員Ｐの退避後、雷雲位置情報４１に基づいて作業再開の可否を判断してもよい（図１２、ステップＳ６０〜Ｓ６６参照）。
【００７２】
このように、作業員Ｐの退避後、雷雲位置情報４１に基づいて作業再開の可否を判断方法によれば、警報器１０から発せられた警報に応じて作業員Ｐがナセル７から退避した後、雷雲位置情報４１に基づき作業再開の可否が判断される。例えば、雷雲位置情報４１に基づいて、雷雲Ｔｃと風車１との距離が上記第１閾値Ｔｈ１（第２閾値Ｔｈ２，第３閾値Ｔｈ３又は第４閾値Ｔｈ４でもよい）以上、又は、安全と判断し得るその他の所定距離以上に離れた場合、或いは、全作業員Ｐからの認知確認信号６４の受領後や解除信号６５の送信後に一定時間経過した際に、作業再開可能と判断してもよい。
【００７３】
なお、上述した第１閾値Ｔｈ１、第２閾値Ｔｈ２、第３閾値Ｔｈ３及び第４閾値Ｔｈ４は、互いに異なる値であってもよいし同じ値であってもよい。
【００７４】
以上説明した本開示の少なくとも一実施形態によれば、風車１内の人員Ｐに雷雲Ｔｃの接近を速やかに報知することができる。
【００７５】
本発明は上述した実施形態に限定されることはなく、上述した実施形態に変更を加えた形態や、これらの形態を組み合わせた形態も含む。
【符号の説明】
【００７６】
１  風車（風力発電設備）
２  ブレード
２Ａ  保護対象ブレード
３  ハブ
４  風車ロータ
５  ドライブトレイン
５Ａ  主軸
５Ｂ  増速機
６  発電機
７  ナセル
８  タワー
８Ａ  退避スペース
９  ベース
１０  警報機
１２  ランプ
１４  警光灯（パトランプ）
１６  外部警報器
２０  コントローラ
２０Ａ  ウィンドファームコントローラ
２１  ＣＰＵ
２２  ＲＡＭ
２３  ＲＯＭ
２４  バス
２５  ピッチ角センサ
２７  データベース
２８  雷雲接近時運転プログラム
３１  風向センサ
３２  風速センサ
３３  荷重センサ
３４  ヨーモータ
３５  ヨーブレーキ駆動アクチュエータ
３６  ピッチ駆動アクチュエータ
３７  ピッチブレーキ駆動アクチュエータ
４０  外部機器
４１  雷雲位置情報
４２  暴風情報
５０  ハードウェア回線
５２  リレー
６１  リレー信号
６２  中継装置
６３  警報信号
６４  認知確認信号
６５  解除信号
７０  ポータブル端末
Ｔｈ１  第１閾値
Ｔｈ２  第２閾値
Ｔｈ３  第３閾値
Ｔｈ４  第４閾値
Ｔｃ  雷雲
Ｐ  人員（作業員）
【図１】
2020067046.tif 000003
【図２】
2020067046.tif 000004
【図３】
2020067046.tif 000005
【図４】
2020067046.tif 000006
【図５】
2020067046.tif 000007
【図６】
2020067046.tif 000008
【図７】
2020067046.tif 000009
【図８】
2020067046.tif 000010
【図９】
2020067046.tif 000011
【図１０】
2020067046.tif 000012
【図１１】
2020067046.tif 000013
【図１２】
2020067046.tif 000014
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
少なくとも一本のブレードと、
前記ブレードが取り付けられるハブと、
前記ハブを回転可能に支持するナセルと、
前記ナセル内に設けられ、一種以上の警報を発するように構成された警報器と、
前記警報を発するように前記警報器に指令する警報信号を出力するためのコントローラと、
外部機器から発せられる雷雲位置情報に基づいて、雷雲との距離が第１閾値以下になったときにＯＮ／ＯＦＦが切り替わるように構成されたリレーと、
を備える風力発電設備であって、
前記コントローラは、前記リレーのＯＮ／ＯＦ状態を示すリレー信号に応じて前記警報信号を出力するように構成された風力発電設備。
【請求項２】
前記ナセルを支持するタワーと、
前記タワーの周囲において前記タワー外に設置された外部警報器と、をさらに備え、
前記外部警報器は、前記コントローラが出力する前記警報信号に基づいて視覚的及び／又は聴覚的な警報を発するように構成された
請求項１に記載の風力発電設備。
【請求項３】
前記コントローラは、複数の異なる前記距離の大きさに応じて、複数種の前記警報から選択される少なくとも一の前記警報を発するよう前記警報器を制御するように構成された
請求項１又は２に記載の風力発電設備。
【請求項４】
前記コントローラは、前記雷雲位置情報を受信するように前記外部機器と通信可能に構成され、受信した前記雷雲位置情報に基づいて、前記距離が前記第１閾値以下になったか否かを判断するように構成された
請求項１〜３の何れか一項に記載の風力発電設備。
【請求項５】
前記リレーは、前記外部機器とハードウェア回線、又は、準ずるソフトウェアプログラムを介して接続され、
前記コントローラは、中継装置又は配線を介して入力される前記リレーのＯＮ／ＯＦＦ状態を示すリレー信号に応じて、前記警報信号を出力するように構成された
請求項１〜４の何れか一項に記載の風力発電設備。
【請求項６】
前記コントローラは、前記外部機器から暴風情報を受信し、前記暴風情報に基づいて前記風力発電設備の運転を停止するように構成された
請求項１〜５の何れか一項に記載の風力発電設備。
【請求項７】
前記第１閾値は、前記ナセルからの人員の退避に要する時間を考慮して設定されている
請求項１〜６の何れか一項に記載の風力発電設備。
【請求項８】
前記警報器は、複数種の前記警報をそれぞれ発するように構成された複数のランプ、または、複数種の前記警報をそれぞれ異なる色で表示可能に構成された少なくとも一つのランプの少なくとも一方を含む警光灯である
請求項１〜７の何れか一項に記載の風力発電設備。
【請求項９】
前記コントローラは、前記警報信号を出力後、前記雷雲位置情報に基づいて、前記距離が第２閾値より大きくなったときに前記警報器に対して前記警報を解除するための解除信号を出力するように構成された
請求項１〜８の何れか一項に記載の風力発電設備。
【請求項１０】
前記コントローラは、前記警報信号を出力後、各々の作業員が携帯するポータブル端末から入力された前記警報の前記作業員による認知を示す認知確認信号を受け取る様に構成された
請求項１〜９の何れか一項に記載の風力発電設備。
【請求項１１】
前記風力発電設備は、３本のブレードを含み、
前記コントローラは、前記雷雲位置情報に基づいて、前記距離が第３閾値以下になったときに、前記３本のブレードのうち保護対象ブレードが鉛直方向下向きとなるように前記ハブのアジマス角を調整するように構成された
請求項１〜１０の何れか一項に記載の風力発電設備。
【請求項１２】
前記コントローラは、前記雷雲位置情報に基づいて、前記距離が第４閾値以下になったときに、前記ハブが遊転するフェザーモードに移行させるように構成された
請求項１〜１１の何れか一項に記載の風力発電設備。
【請求項１３】
少なくとも一本のブレードと、
前記ブレードが取り付けられるハブと、
前記ハブを回転可能に支持するナセルと、
前記ナセル内に設けられ、一種以上の警報を発するように構成された警報器と、
外部機器から発せられる雷雲位置情報に基づいて、雷雲との距離が第１閾値以下になったときにＯＮ／ＯＦＦが切り替わるように構成されたリレーと、
を備える風力発電設備の運用方法であって、
前記リレーのＯＮ／ＯＦＦ状態を示すリレー信号に応じて前記警報を発する
風力発電設備の運用方法。
【請求項１４】
前記ナセル内の作業員が前記警報に基づき退避するための退避スペースを前記タワー内の上部に設置する
請求項１３に記載の風力発電設備の運用方法。
【請求項１５】
前記作業員の退避後、前記雷雲位置情報に基づいて作業再開の可否を判断する
請求項１４に記載の風力発電設備の運用方法。